(57)【要約】変調ビデオ信号及び変調オーディオ信号を有するテレビジョン信号（ＲＦ）を受信し及び処理するテレビジョン信号受信機において、チューナ（１６）は、選択されたテレビジョン信号を受信し、少なくとも中間周波数（ＩＦ）信号を発生し、ＳＡＷフィルタ（１７）をチューナ（１６）に接続し、ビデオ復調器（１８）は、ＳＡＷフィルタ（１７）からのビデオ信号を復調して、更なる処理のための復調ビデオ信号を取得し、発生器（１６）は、テレビジョン信号の変調ビデオ信号の搬送周波数と変調オーディオ信号との間の差に等しい搬送周波数に変調したオーディオ信号を備える信号（ＳＩＦ）を発生し、オーディオ復調器（５）は、発生器（１６）からの信号（ＳＩＦ）から音声信号を復調して、更なる処理のための復調オーディオ信号を取得する。本発明によれば、発生器（１６）をチューナ（１６）に接続するとともに、オーディオ復調器（５）を発生器（１６）に接続する。
2004502353.tif 000002
【特許請求の範囲】
【請求項１】
変調ビデオ信号及び変調オーディオ信号を有するテレビジョン信号を受信し及び処理するテレビジョン信号受信機であって、
選択されたテレビジョン信号を受信するとともに、少なくとも中間周波数信号を発生するチューナと、
そのチューナに接続されたＳＡＷフィルタと、そのＳＡＷフィルタからのビデオ信号を復調して、更なる処理のための復調ビデオ信号を取得するビデオ復調器と、
前記テレビジョン信号の変調ビデオ信号の搬送周波数と変調オーディオ信号との間の差に等しい搬送周波数に変調したオーディオ信号を具える信号を発生する発生器と、
その発生器からの信号から音声信号を復調して、更なる処理のための復調オーディオ信号を取得するオーディオ復調器とを具え、
前記発生器を前記チューナに接続するとともに、前記オーディオ復調器を前記発生器に接続したことを特徴とするテレビジョン信号受信機。
【請求項２】
前記復調器を、前記ＳＡＷフィルタ及びビデオ復調器に並列に前記発生器に接続したことを特徴とする請求項１記載のテレビジョン信号受信機。
【請求項３】
前記チューナ及び発生器がユニットを形成することを特徴とする請求項１記載のテレビジョン信号受信機。
【請求項４】
前記発生器が、
前記発生器からの信号の周波数を決定する手段と、
前記発生器からの信号を出力する手段とを具えることを特徴とする請求項３記載のテレビジョン信号受信機。
【請求項５】
前記周波数を決定する手段が、発振器を有する位相同期ループ（ＰＬＬ）回路を具えることを特徴とする請求項４記載のテレビジョン信号受信機。
【請求項６】
前記ＰＬＬ回路を、前記発生器からの信号を出力する手段を形成するミキサに接続し、そのミキサに、前記チューナ出力からの変調オーディオ信号を有するフィルタを設けたことを特徴とする請求項５記載のテレビジョン信号受信機。
【請求項７】
前記ＰＬＬ回路及び前記ミキサを、分周器／倍周器を通じて接続したことを特徴とする請求項６記載のテレビジョン信号受信機。
【請求項８】
前記チューナを、その入力側でプリプロセッサに接続したことを特徴とする請求項１記載のテレビジョン信号受信機。
【請求項９】
前記プリプロセッサが、前記チューナに対するテレビジョン信号を予めフィルタ処理する入力フィルタ及び前記テレビジョン信号を増幅するプリアンプを具える群からの少なくとも１個の回路を有することを特徴とする請求項８記載のテレビジョン信号受信機。
【請求項１０】
前記発生器と前記オーディオ復調器との間に、前記発生器からの信号に対するフィルタ及び前記発生器からの信号を予め増幅するためのプリアンプを具える群からの少なくとも１個の回路を配置したことを特徴とする請求項１記載のテレビジョン信号受信機。
【請求項１１】
請求項１に記載したテレビジョン信号受信機と、
前記ビデオ復調器に結合した表示ユニットと、
前記オーディオ復調器に結合した拡声器とを具えることを特徴とするテレビジョン表示装置。
【発明の詳細な説明】
【０００１】
技術分野
本発明は、復調ビデオ信号及び復調オーディオ信号を具えるテレビジョン信号（ＲＦ）を受信し及び処理するテレビジョン信号受信方法及び受信機であって、受信機が、選択したテレビジョン信号を入力するとともに少なくとも中間周波数（ＩＦ）信号を出力するチューナと、フィルタと、更なる処理、例えば、テレビジョン信号に対応する音声付き画像を処理するためにオーディオ信号及びビデオ信号を取得する復調器とを具える、テレビジョン信号受信方法及び受信機に関する。既知のテレビジョン新ごヴ受信機を、後に詳細に説明する。
【０００２】
背景技術
一般に、チューナからのＩＦ信号を処理するために２タイプの処理が知られている。これらの方法は、搬送波間ＳＩＦ処理及びＱＳＳ　ＳＩＦ処理として従来知られている。ＳＩＦは、音声ＩＦ、更に詳しくは変調音声搬送波間信号を意味する。ＱＳＳは、擬似分割音声（ｑｕａｓｉ ｓｐｌｉｔ ｓｏｕｎｄ）を意味する。
【０００３】
搬送波間ＳＩＦ処理で後に説明するように、チューナからのＩＦ信号は、ビデオ及び音声ＳＡＷフィルタに供給され、その後段には、ＳＩＦ信号も出力する復調器が続く。ＳＩＦ信号は、元のテレビジョン信号の変調されたビデオ信号の搬送波と変調されたオーディオ信号の搬送波との間の差に等しい搬送周波数に変調されたオーディオ信号を具える。その後、オーディオ復調器は、ＳＩＦ信号を復調して、復調されたオーディオ信号を取得する。
【０００４】
複雑の程度が低いためにこのような既知の技術が比較的経済的であるとしても、そのような既知のシステムにおける音声の感度は低い。さらに、ビデオ及び音声ＳＡＷフィルタに供給されるＩＦ信号を復調する復調器がＩＦ増幅器を伴うとしても、相互変調が生じ、これによって、テレビジョン信号に対応する画像を表示する際に、画像を伴う音声と画像それ自体のうちの少なくとも一方の品質が低下する。復調器を伴うＩＦ増幅器のこのような相互変調は、オーディオ信号の搬送周波数とビデオ信号の色搬送周波数との差に起因し、そのような差は、関連のテレビジョン信号に採用したテレビジョン信号規格に依存する。
【０００５】
ＱＳＳ  ＳＩＦ処理によれば、チューナからのＩＦ信号は、オーディオ減衰を伴うビデオＳＡＷフィルタとビデオ減衰を伴うオーディオＳＡＷフィルタの両方に対して並列に供給され、これらのフィルタには、ビデオ用の復調器及びオーディオ用の復調器がそれぞれ後続する。そのようなＱＳＳ  ＳＩＦ形態において、ビデオ及びオーディオの品質を高い基準に維持することができるが、オーディオＩＦ信号用の追加のＳＡＷフィルタ、増幅器及び復調器を必要とするので、コストが著しく増大する。
【０００６】
ＱＳＳ  ＳＩＦ処理に関連する高コストにもかかわらず、搬送波間ＳＩＦ処理に関連した劣悪な音声感度及び／又は画像の劣化のためだけでなく、確立されたケーブル規格に従わない増加しつつあるケーブルネットワークの動作を考慮するために、ＱＳＳ  ＳＩＦ処理の実現が所望されている。確立された規格に従わないそのようなケーブクネットワークにおいて、ビデオ更に詳しくはクロミナンス信号及びオーディオ信号の搬送波の相互変調となる搬送波間ＳＩＦ概念に関連した相互変調の妨害によって、音声品質又は画像品質が著しく劣化する。
【０００７】
発明の開示
したがって、本発明の目的は、これまで説明した不都合を克服し又は少なくとも軽減するテレビジョン信号受信機を提供することであり、このために、請求項１に係るテレビジョン信号受信機を設ける。好適例を、従属請求項に規定する。
【０００８】
本発明によるテレビジョン信号受信機において、後に復調すべき良好にフィルタ処理され及び増幅されたＳＩＦオーディオ信号を取得することができ、この場合、ＳＩＦオーディオ信号は、従来のＱＳＳ　ＳＩＦ処理の品質に匹敵する品質を有し、それと同時に、ＩＦ信号に対する追加のオーディオＳＡＷフィルタを必要としないので、従来のＱＳＳ　ＳＩＦ処理に関連した高コストが回避される。また、音声品質及び画像品質を、従来の搬送波間ＳＩＦ処理に比べて向上させることができ、それと同時に、確立された規格に従わないケーブルネットワークに対して十分な解決を提供する。
【０００９】
好適には、本発明によるテレビジョン受信機を、チューナ及び発生器がユニットを形成するものとする。そのようにして、チューナ／発生器は、ＩＦ信号だけでなくＳＩＦ信号も提供し、これによって、更に簡単な形態を得ることができる。それにもかかわらず、発生器及びチューナを個別にすることができる。
他の好適例を、発生器の任意の形態を含む従属項に規定する。
【００１０】
発明を実施するための最良の形態
本発明のこれら及び他の実施の形態を、後に説明する実施の形態を参照して説明する。
図面中、同一又は同様な構成要素には同一の参照番号を付す。
【００１１】
図１において、既知のテレビジョン信号受信機を示し、この場合、通常のチューナには、変調されたビデオ信号及び変調されたオーディオ信号を有するＲＦ信号が供給される。テレビジョン信号受信機１のチューナ２は、図１に示すようにＩＦ信号を出力し、その後、ＩＦ信号は、例えば図２に示すようなＱＳＳ　ＳＩＦ処理タイプのＳＡＷフィルタ及び復調器３に供給される。ＳＡＷフィルタ及び復調器３は、復調されたビデオ信号Ｖを、更なるビデオ処理のためにビデオプロセッサ４に供給するとともに、ＳＩＦ信号を、オーディオ復調器及び音声処理ブロック５に供給する。ＳＩＦ信号は、搬送周波数で搬送信号に変調した音声信号を有し、その搬送周波数は、元のテレビジョン信号のビデオ信号の搬送周波数とオーディオ信号の搬送周波数との差に等しい。
【００１２】
図２に示すように、図１のＳＡＷフィルタ及び復調器３は、一方をビデオ用とするとともに他方をオーディオ用とした並列処理経路を具える。ＩＦ信号からビデオ信号を取得する経路は、ビデオＳＡＷフィルタ６と、それに続く復調器７とを具え、任意であるが好適にはこの復調器の前段にビデオＩＦ増幅器も具える。ビデオ復調器７は、図１における更なるビデオ処理４のために復調ビデオ信号を発生し、基準搬送波Ｒｅｆも音声用の経路に供給される。
【００１３】
図２のＳＡＷフィルタ及び復調器３の経路において、オーディオＳＡＷフィルタ８及びこれに続くオーディオ復調器９を設け、任意であるが好適にはこの復調器の前段にオーディオＩＦ増幅器も設ける。ビデオ復調器７からの基準搬送周波数を用いて、オーディオ復調器９は、図１のオーディオ復調器及び処理ブロック５に対するＳＩＦ信号を発生する。
【００１４】
図２の形態において、基準搬送波がビデオ復調器７からオーディオ復調器９に送出されるので、オーディオ復調器９は、ビデオ信号の搬送波の周波数とオーディオ信号の搬送波の周波数との間の差に等しい周波数で搬送波に変調された音声信号としてＳＩＦ信号を発生する。既に説明したように、ＳＩＦ信号は、その後図１のオーディオ復調器及び処理ブロック５に送信され、この場合、オーディオ信号がＦＭ変調されるので、復調器及び処理ブロック５は、好適にはＦＭ復調器を具える。
【００１５】
ビデオＳＡＷフィルタ６及びオーディオＳＡＷフィルタ８は、好適には、各々が少なくとも３０ｄＢのオーディオ搬送波減衰及びビデオ搬送波減衰を有する。このようにして、図２のビデオ経路及びオーディオ経路を、ビデオ復調器７からオーディオ復調器９までの基準周波数の遷移を除いて、個別に考慮することができる。したがって、高品質のＳＩＦ信号を取得することができる。しかしながら、図２のＳＡＷフィルタ及び復調器３の形態において、個別のビデオＳＡＷフィルタ６及びオーディオＳＡＷフィルタ８が要求され、これによって、そのようなＱＳＳ　ＳＩＦ処理のコストが、特に、単一のビデオ及び音声ＳＡＷフィルタしか必要としない搬送波間（ｉｎｔｅｒｃａｒｒｉｅｒ）ＳＩＦ処理に関連して高くなり、ＱＳＳ  ＳＩＦ処理の品質を関連で増大させたとしても高くなる。
【００１６】
図１のチューナ２を、図３に詳細に示す。チューナ２の前段に、入力フィルタ及びＲＦ増幅器１０を、例えばアンテナ又はケーブルネットワークからＲＦ信号を予処理するプリプロセッサを配置してもよい。オプションとしてプリプロセッサ１０によって予処理することができるＲＦ信号は、局所発信器１１に入力され、局所発振器１１は、ＰＬＬ（位相同期ループ）回路１２からの入力を受信し、ＰＬＬ回路１２は、水晶発振器１３からの信号を受信する。局所発信器１１の出力は、ＰＬＬ回路１２に帰還されるとともにミキサ１４にも供給され、ミキサ１４は、図１のＳＡＷフィルタ及び復調器３に対して要求されるＩＦ信号を出力し、この場合、ＩＦ信号は、任意ではあるが好適には、ＳＡＷフィルタ及び復調器３に出力する前にＩＦ増幅器１５によって増幅される。
このチューナ２及び構成要素１１−１５の機能は周知であり、したがって、ここでは更なる説明を省略する。
【００１７】
図４は、本発明によるテレビジョン信号受信機の形態を線図的に示す。図５は、図４の形態に゛用いられる新規なチューナの形態を示す。
図４のテレビジョン信号受信機において、ＲＦ信号は、本発明によって変更したチューナ１６に供給される。チューナ１６は、後に説明するようにＳＩＦ信号を発生する発生器を具える。したがって、チューナ１６の出力は、主にビデオ信号を取得するためのＩＦ信号と、主にオーディオ信号を取得するためのＳＩＦ信号とを有する。
【００１８】
チューナ１６の出力は、好適には少なくとも３０ｄＢの音声搬送波減衰を有するビデオＳＡＷフィルタ１７に送信され、ビデオＳＡＷフィルタ１７には、復調されたビデオ信号を取得するためのビデオ復調器１８が続き、復調されたビデオ信号は表示ユニットＤに供給される。チューナ１６の出力は、チューナ１６の出力からＳＩＦ信号を分離するためにＳＩＦフィルタ１９にも供給され、この場合、ＳＩＦ信号は、更なるオーディオ処理のために図１のオーディオ復調器及び処理ブロック５に送信される。オーディオプロセッサ５の出力は拡声器Ｌに供給される。
【００１９】
当業者によって理解できるように、ＳＡＷフィルタによる処理の前にＳＩＦ信号を発生する発生器を用いることによって、図２の形態に関連する相当の簡略化が達成される。任意であるが好適にはＳＩＦフィルタにプリアンプを設ける。図４及び５において、ＳＩＦ信号を発生する形態において、ＳＩＦ信号を発生する発生器をチューナ１６に組み込んだが、本発明はそれに限定されるものではない。個別の発生器を設けることもできる。図２による従来の場合のように個別のオーディオＳＡＷフィルタ８を組み込む必要なくＳＩＦ信号が取得されることも明らかである。これによって、高いオーディオ及びビデオ品質を維持しながら、テレビジョン信号の受信機のコスト及び複雑さを減少することができる。
【００２０】
ＳＩＦフィルタ１９は、４．５−６．５ＭＨｚの通過帯域を有し、これは、廉価なセラミックフィルタを用いて正確に実現することができる。このような比較的低い帯域において、低コストのトランジスタなどを用いて、ＳＩＦ信号の増幅を実現することができる。
【００２１】
チューナ１６では、図５に詳細に示すように、図３に示すような従来のチューナ１１−１４が組み込まれる。また、チューナ１６は、ＩＦビデオ信号を分離する狭帯域フィルタ２０を具え、ＩＦビデオ信号は、他の位相同期ループ（ＰＬＬ）回路２１に供給され、この回路は、発振器２２及び分周器／倍周器２３とループ状に接続される。発振器２２は、図３における通常のチューナ形態の水晶発振器１３に接続され、それに対して、倍周器／分周器２３は、ミキサ２４に接続した出力部を有し、ミキサ２４は、ＳＩＦ信号を増幅器２６に出力するためにフィルタ２５から他の入力を受信し、増幅器２６は、チューナ１６からの出力のためにＩＦ信号及びＳＩＦ信号を増幅する。フィルタ２５は、ミキサ１４の出力を受信し、その結果、ビデオ信号のＩＦ周波数を、発振器２２の位相同期をとるのに使用することができ、発振器２２は、ＳＩＦ信号を発生するのに使用され、ＳＩＦ信号は、ファインチューニング中にビデオ信号のＩＦ周波数を変更する際にＳＩＦ信号の周波数を一定に維持するのに必要とされる。発生したオーディオ信号のＩＦ周波数が固定されるので、基準発振周波数を、チューナの水晶発振器１３を用いて発生させることができる。
【００２２】
狭帯域フィルタ２０において、ビデオ信号のＩＦ周波数は、ミキサ１４からのＩＦ信号からフィルタ処理される。このフィルタ２０を固定フィルタとする。分周器／倍周器２３において、ＳＩＦ信号を発生するのに必要な発振周波数を発生させる。ＰＬＬ回路２１によって、分周器／倍周器２３からの出力は、狭帯域フィルタ２０からの信号と位相同期がとられ、その結果、分周器／倍周器２３からの信号は、ビデオ信号のＩＦ信号に位相同期がとられる。したがって、分周器／倍周器２３から送出される発振周波数を、オーディオ信号のＩＦ周波数とＳＩＦ信号の周波数との間の差に等しくすることができる。
【００２３】
チューナ１６で用いられる大抵の構成要素がミキサ、分周器／倍周器等であるので、チューナ１６が簡単に実現されることは当業者に明らかである。ＳＩＦ信号を取得するために非常に高価又は感度の高い構成要素を使用せず、これによって、高品質画像及び音声を保証することができるＳＩＦ信号を発生するテレビジョン信号受信機の簡単かつ廉価な形態を設けることができる。
【００２４】
本発明が添付図面を参照して説明した特定の実施の形態に限定されるものではないことは、当業者に明らかである。幾多の変更及び変形は、添付した請求の範囲によって制限された本発明の範囲内で可能である。例えば、図５に示す実施の形態の代わりに、チューナから離間したＳＩＦ信号用の個別の発生器を設けることができる。他の変形も同様に可能である。用語「具える」は、請求の範囲に挙げた要素又はステップ以外のものの存在を除外するものではない。個数を特定しない素子は、そのような素子が複数存在することを除外するものではない。本発明を、複数の個別の素子を具えるハードウェア及び適切にプログラムされたコンピュータによって実現することができる。複数の手段を列挙する装置の請求項において、これらの手段の少なくとも一部を、ハードウェアの同一アイテムによって実施することができる。所定の手段を互いに相違する従属請求項に言及したことは、その手段の組合せを好適に用いることができないことを表すものではない。
【図面の簡単な説明】
【図１】従来のテレビジョン信号受信機の基本形態を線形的に示す。
【図２】ＱＳＳ　ＳＩＦ処理の基本形態を線形的に示す。
【図３】従来のチューナの基本形態を線形的に示す。
【図４】本発明によるテレビジョン信号受信機の実施の形態を線図的に示す。
【図５】本発明による図４のテレビジョン受信機のチューナを線図的に示す。
【国際公開パンフレット】
2004502353.tif 000003
2004502353.tif 000004
2004502353.tif 000005
2004502353.tif 000006
2004502353.tif 000007
2004502353.tif 000008
2004502353.tif 000009
2004502353.tif 000010
2004502353.tif 000011
2004502353.tif 000012
2004502353.tif 000013
2004502353.tif 000014
【国際公開パンフレット（コレクトバージョン）】
2004502353.tif 000015
【国際調査報告】
2004502353.tif 000016
2004502353.tif 000017